(57)【要約】【課題】状態監視を効率良く行うことができ、構成を簡素化する。【解決手段】調光操作卓１０、１０Ａは、イーサネットに接続されるインタフェース１４を備えて調光制御情報を送出すると共に自装置の状態情報をインタフェース１４を介して送出する。調光制御盤３０は、調光操作卓１０、１０Ａからインタフェース３２を介して状態情報を受け取り、調光操作卓１０、１０Ａの状態を判定し、これに基づき、調光操作卓から送られる調光制御情報により調光制御するか否か決定する。【選択図】図１
2008117566.tif 000002
【特許請求の範囲】
【請求項１】
イーサネットに接続されるインタフェースと；
調光制御情報をインタフェースを介して送出する調光制御手段と；
自装置の状態に変化が生じた場合にのみ状態情報をインタフェースを介して送出する状態情報送出手段と；
を具備することを特徴とする調光操作卓。
【請求項２】
調光制御盤に対し、直近に送出した調光制御情報に含まれる照明負荷の調光レベル情報の保持を要求する保持要求手段と；
情報を表示する表示手段と；
保持要求手段による要求に応じて保持された情報の送信を要求する送信要求手段と；
送信要求手段による要求に応じて到来する調光レベル情報を表示手段に表示する表示制御手段と：
を具備することを特徴とする請求項１に記載の調光操作卓。
【請求項３】
表示制御手段は、自装置において設定した調光レベルとの差分を求め、差分情報と対応する照明負荷に対応する識別情報を表示手段に表示することを特徴とする請求項２に記載の調光操作卓。
【請求項４】
イーサネットに接続されるインタフェースと；
イーサネットに接続された調光操作卓からインタフェースを介して状態情報を受け取り、調光操作卓の状態を判定し管理する状態判定管理手段と；
状態判定管理手段により管理されている状態情報に基づき、調光操作卓から送られる調光制御情報の扱いを決定し、調光制御情報を処理する調光制御情報処理手段と；
を具備することを特徴とする調光装置。
【請求項５】
状態判定管理手段は、２系の調光操作卓から状態情報を受け取り、主系とするか副系とするかを決定すると共に、主系と副系の遷移履歴情報を管理し、
調光制御情報処理手段は、遷移履歴情報に基づき調光制御情報を採用する調光操作卓を決定することを特徴とする請求項４に記載の調光装置。
【請求項６】
直近に到来した調光制御情報に含まれる照明負荷の調光レベル情報の保持要求を調光操作卓から受けた場合に、当該情報を保持する保持手段と；
保持手段に保持された情報の送信要求を調光操作卓から受けた場合に該当情報を返送する情報返送手段と；
を具備することを特徴とする請求項４または５に記載の調光装置。
【請求項７】
請求項１乃至３のいずれかの項に記載の調光操作卓と；
請求項４乃至６のいずれかの項に記載の調光装置と；
調光操作卓と調光装置を結ぶイーサネットと；
を具備することを特徴とする調光システム。
【発明の詳細な説明】
【技術分野】
【０００１】
この発明は、劇場の舞台やスタジオなどの照明に対する調光を行う際に用いられる調光操作卓、この調光操作卓から調光制御情報を受けて照明負荷に対する調光制御を行う調光制御盤である調光装置、または調光制御盤に対しＤＭＸ信号に変換して調光制御信号を送出するＤＭＸノード装置である調光装置、更に、上記調光操作卓と調光装置とをイーサネット（登録商標）にて結んだ調光システムに関するものである。
【背景技術】
【０００２】
従来、調光操作卓と調光制御盤との間では調光制御信号やこれに対する返答信号等の送受を行うケーブルとは別に装置の状態を確認するための伝送線が設けられている。この伝送線を用いてウオッチドックタイマの監視を行い、稼働・非稼働を検出している。
【０００３】
更に、調光操作卓が２系の場合に、主系と副系を切り換えるスイッチ接点の情報は、調光操作卓から調光制御盤やＤＭＸノード装置に対し伝達する手段がないために、別途接点Ｉ／Ｏ部を調光制御盤やＤＭＸノード装置に設け、スイッチ接点の情報を直接取得するようにしていた。特許文献１には、接点Ｉ／Ｏを設けることが記載されている。
【特許文献１】特開２００１−１６７８９１号公報（００６３、００６４、図４など）
【０００４】
また、状態監視において調光操作卓に不具合が発生した場合には、調光制御盤へ照明負荷の最終出力レベル（調光レベル）を保持する要求を送出し、調光制御盤に保持させている。この要求により、保持された出力レベルに基づき照明負荷対応のＬＥＤが点灯されている。しかしながら、このＬＥＤは周辺の照明を行う作業灯としても用いられており、上記で保持された出力レベルに作業灯レベルを合成してＬＥＤが駆動されるように構成されている。調光操作卓の復旧或いは副系調光操作卓を主系へ変更した後に、上記ＬＥＤの照度又は実明かりを頼りにオペレータが調光レベルの設定を行っている。
【０００５】
そのため、必ずしも的確な調光レベルを把握できない上に、作業灯レベルと合成されているため、調光レベルの判断が難しいものであった。このため、調光システムを復旧させる場合に元の調光レベルを設定できないので、照明シーンが障害の前後で異なってしまうという問題があった。
【発明の開示】
【発明が解決しようとする課題】
【０００６】
本発明は、上記のように調光操作卓や調光制御盤等においては、装置間の状態情報の監視が非効率であり、また、接点Ｉ／Ｏを設ける必要性があり伝送路もその接点Ｉ／Ｏ毎に設ける必要があり、構成が複雑化するという現状に鑑みてなされたもので、その目的は、状態監視を効率良く行うことができ、構成を簡素化し得る調光操作卓と調光装置及び調光システムを提供することである。
【０００７】
また、状態監視において調光操作卓に不具合が発生した場合においても、調光システムを復旧させる場合に元の調光レベルを設定することが容易となり、照明シーンを障害の前後で同一にすることのできる調光操作卓と調光装置及び調光システムを提供することを目的とする。
【課題を解決するための手段】
【０００８】
本発明に係る調光操作卓は、イーサネットに接続されるインタフェースと；調光制御情報をインタフェースを介して送出する調光制御手段と；自装置の状態に変化が生じた場合にのみ状態情報をインタフェースを介して送出する状態情報送出手段と；を具備することを特徴とする。
【０００９】
イーサネットは有線及び無線を許容する。状態情報には、稼働中であることを示す情報、２系の場合に、主系であるか副系であるかの情報を含む。状態情報は調光制御盤やＤＭＸノード装置などの調光装置へ送られる。
【００１０】
本発明に係る調光操作卓は、調光制御盤に対し、直近に送出した調光制御情報に含まれる照明負荷の調光レベル情報の保持を要求する保持要求手段と；情報を表示する表示手段と；保持要求手段による要求に応じて保持された情報の送信を要求する送信要求手段と；送信要求手段による要求に応じて到来する調光レベル情報を表示手段に表示する表示制御手段と：を具備することを特徴とする。
【００１１】
本発明に係る調光操作卓は、表示制御手段は、自装置において設定した調光レベルとの差分を求め、差分情報と対応する照明負荷に対応する識別情報を表示手段に表示することを特徴とする。
【００１２】
本発明に係る調光装置は、イーサネットに接続されるインタフェースと；イーサネットに接続された調光操作卓からインタフェースを介して状態情報を受け取り、調光操作卓の状態を判定し管理する状態判定管理手段と；状態判定管理手段により管理されている状態情報に基づき、調光操作卓から送られる調光制御情報の扱いを決定し、調光制御情報を処理する調光制御情報処理手段と；を具備することを特徴とする。
【００１３】
本発明に係る調光装置は、状態判定管理手段は、２系の調光操作卓から状態情報を受け取り、主系とするか副系とするかを決定すると共に、主系と副系の遷移履歴情報を管理し、調光制御情報処理手段は、遷移履歴情報に基づき調光制御情報を採用する調光操作卓を決定することを特徴とする。
【００１４】
本発明に係る調光装置は、直近に到来した調光制御情報に含まれる照明負荷の調光レベル情報の保持要求を調光操作卓から受けた場合に、当該情報を保持する保持手段と；保持手段に保持された情報の送信要求を調光操作卓から受けた場合に該当情報を返送する情報返送手段と；を具備することを特徴とする。
【００１５】
本発明に係る調光システムは、請求項１乃至３のいずれかの項に記載の調光操作卓と；請求項４乃至６のいずれかの項に記載の調光装置と；調光操作卓と調光装置を結ぶイーサネットと；を具備することを特徴とする。
【発明の効果】
【００１６】
本発明に係る調光操作卓は、自装置の状態情報をインタフェースを介して送出するように構成されているので、調光制御情報の伝送路と共用でき効率的である。
【００１７】
本発明に係る調光操作卓は、状態に変化が生じた場合にのみ状態情報を送出するので、状態に変化のないときに通信が行われず、無駄なく効率的である。
【００１８】
本発明に係る調光操作卓は、調光制御盤に対し、直近に送出した調光制御情報に含まれる照明負荷の調光レベル情報の保持を要求し、要求に応じて保持された情報の送信を要求し、この要求に応じて到来する調光レベル情報を表示手段に表示するので、障害等の場合に直前の調光レベルを知ることができ便利である。
【００１９】
本発明に係る調光操作卓は、自装置において設定した調光レベルと調光制御盤に保持されていた調光レベルの差分を求め、差分情報と対応する照明負荷に対応する識別情報を表示するので、設定した調光レベルが障害等の場合における直前の調光レベルと異なっていることを知ることができ便利である。
【００２０】
本発明に係る調光装置は、イーサネットに接続された調光操作卓からインタフェースを介して状態情報を受け取り、調光操作卓の状態を判定し管理し、管理されている状態情報に基づき、調光操作卓から送られる調光制御情報の扱いを決定し、調光制御情報を処理するので、調光制御情報と同じ経路で得られる状態情報に基づき調光制御情報の扱いを決定し、調光制御情報を処理でき、効率的である。
【００２１】
本発明に係る調光装置は、２系の調光操作卓から状態情報を受け取り、主系とするか副系とするかを決定すると共に、主系と副系の遷移履歴情報を管理し、遷移履歴情報に基づき調光制御情報を採用する調光操作卓を決定するので、２系について切り換えるスイッチによることなく、主系と副系を決定でき、調光制御情報を採用する調光操作卓を決定でき、便利である。
【００２２】
本発明に係る調光装置は、直近に到来した調光制御情報に含まれる照明負荷の調光レベル情報の保持要求を調光操作卓から受けた場合に、当該情報を保持し、保持された情報の送信要求を調光操作卓から受けた場合に該当情報を返送するので、調光操作卓に対し障害直前などの調光レベルを伝えることができ、復旧の場合に便利である。
【００２３】
本発明に係る調光システムは、請求項１乃至４のいずれかの項に記載の調光操作卓と；請求項５乃至７のいずれかの項に記載の調光装置と；調光操作卓と調光装置を結ぶイーサネットと；を具備するので、装置間の状態監視が効率的であり、障害発生前後の照明シーンの一致化を行う際に便利である。
【発明を実施するための最良の形態】
【００２４】
＜実施例１＞
以下添付図面を参照して、調光操作卓、調光装置及び調光システムの実施例を説明する。各図において、同一の構成要素には同一の符号を付し、重複する説明を省略する。図１には、本発明の実施例に係る調光操作卓１０、１０Ａと調光装置として調光制御盤３０とをイーサネット２１Ａ〜２１Ｃにより接続した調光システムを示す。イーサネット２１Ａ〜２１Ｃは、ハブ２２により接続されている。
【００２５】
調光操作卓１０には、ＣＰＵ及びメモリなどを含んで構成される制御部１１と、情報を表示するための表示部１２と、各種キーが備えられた操作部１３と、イーサネットとの間で情報を送受するインタフェース１４とが備えられている。
【００２６】
調光操作卓１０、１０Ａは同一の構成であり、２系の切り換えにより調光制御が可能となっている。２系の切り換えを行うための系切換スイッチ２３が設けられ、調光操作卓１０の接点Ｉ／Ｏ１５を介して制御部１１へ切換信号が送られる。
【００２７】
調光操作卓１０の制御部１１には、調光制御手段４１、状態情報送出手段４２、保持要求手段４３、送信要求手段４４、表示制御手段４５、復旧制御手段４６が備えられている。調光制御手段４１は、調光制御情報をインタフェース１４を介して送出するものである。状態情報送出手段４２は、状態に変化が生じた場合にのみ状態情報をインタフェース１４を介して送出するものである。
【００２８】
保持要求手段４３は、操作部１３に設けられた保持キーの操作に基づき、直近に送出した調光制御情報に含まれる照明負荷の調光レベル情報の保持を調光制御盤３０に要求するものである。送信要求手段４４は、操作部１３に設けられた送信要求キーの操作に応じて保持要求手段４３による要求に応じて保持された情報の送信を要求するものである。
【００２９】
表示制御手段４５は、送信要求手段４４による要求に応じて到来する調光レベル情報を表示手段である表示部１２に表示するものである。また、表示制御手段４５は、到来する調光レベルと自装置において設定した調光レベルとの差分を求め、差分情報と対応する照明負荷に対応する識別情報を表示部１２に表示する。復旧制御手段４６は、操作部１３に設けられた復旧キーの操作に応じて上記差分を有する調光レベルを到来する調光レベルへ設定変更し、これを調光情報として調光制御手段４１から送出させる。また、復旧制御手段４６は、保持キーの解除操作に基づき、保持解除要求を調光制御盤３０に要求するものである。
【００３０】
調光制御盤３０には、ＣＰＵ及びメモリなどを含んで構成される制御部３１と、イーサネットとの間で情報を送受するインタフェース３３と、調光器３４−１〜３４−ｎが備えられている。更に、調光器３４−１〜３４−ｎには、照明負荷３２−１〜３２−ｎが接続されている。
【００３１】
制御部３１には、状態判定管理手段５１、調光制御情報処理手段５２、保持手段５３、情報返送手段５４が設けられている。状態判定管理手段５１は、イーサネットに接続された調光操作卓１０、１０Ａからインタフェースを介して状態情報を受け取り、調光操作卓１０、１０Ａの状態を判定し管理するものであり、２系の調光操作卓１０、１０Ａから状態情報を受け取り、主系とするか副系とするかを決定すると共に、主系と副系の遷移履歴情報を管理する。
【００３２】
調光制御情報処理手段５２は、状態判定管理手段５１により管理されている状態情報に基づき、調光操作卓１０、１０Ａから送られる調光制御情報の扱いを決定し、調光制御情報を処理する。即ち、遷移履歴情報に基づき調光制御情報を採用する調光操作卓を決定すると共に、主系或いは主系相当の調光操作卓から送られる調光情報に基づき調光器３４−１〜３４−ｎを制御して、調光器３４−１〜３４−ｎが供給電力を制御して照明負荷３２−１〜３２−ｎにおける調光が行われるようにする。
【００３３】
保持手段５３は、直近に到来した調光制御情報に含まれる照明負荷の調光レベル情報の保持要求を調光操作卓１０、１０Ａから受けた場合に、当該情報を保持するものである。情報返送手段５４は、保持手段５３に保持された情報の送信要求を調光操作卓１０、１０Ａから受けた場合に該当情報を返送するものである。
【００３４】
また、調光制御盤３０には照明負荷３２−１〜３２−ｎに対応するＬＥＤ３５が設けられた表示板３６が接続されており、制御部３１は、照明負荷３２−１〜３２−ｎに対する現在の調光レベル（出力レベル）と作業灯レベル(ＬＥＤ３５を作業灯として使用するレベル)を合成してＬＥＤ３５を点灯する機能を備えている。
【００３５】
以上のように構成された調光システムにおいて、調光操作卓１０、１０Ａの制御部１１は、図２と図５に示すフローチャートに対応するプログラムを実行して各種手段を実現し、調光制御盤３０の制御部３１は、図３と図６に示すフローチャートに対応するプログラムを実行して各種手段を実現するので、これらのフローチャートに基づき以下に動作説明を行う。
【００３６】
調光操作卓１０、１０Ａの制御部１１は、例えば系切換スイッチ２３等の状態変化を監視し（Ｓ１１）、系切換スイッチ２３の状態に変化があると、例えば系切換スイッチ２３の切換信号に応じて主系或いは副系となったことを示す状態情報を送信する。勿論、自装置が稼働中となったことなど必要な状態情報をイーサネット２１（２１Ａ〜２１Ｃ）を介して調光制御盤３０へ送信する（Ｓ１２）。
【００３７】
また、制御部１１は、操作部１３の操作により所要の照明負荷に対する調光制御の入力を監視し（Ｓ１３）、入力があると、所要の照明負荷に対する調光制御情報をイーサネット２１を介して調光制御盤３０へ送信する（Ｓ１４）。
【００３８】
このような調光操作卓１０、１０Ａの制御部１１の処理により、調光制御盤３０の制御部３１は、受信した状態情報や調光制御情報に基づき主系副系の状態遷移を図３に示すように行う。図３では、調光操作卓１０を１系、調光操作卓１０Ａを２系とし、「主」は主系を示し、「副」は副系を示す。「出力」に付記されている系が調光制御情報を採用する調光操作卓に係る系を示す。
【００３９】
図３の状態ＳＴ１は、ある時点の状態を示し、双方が主系である。この状態ＳＴ１において、２系である調光操作卓１０Ａが副系である通知（２副により示す）をすると、状態ＳＴ２へ遷移し、状態ＳＴ１において、１系である調光操作卓１０が副系である通知（１副により示す）をすると、状態ＳＴ５へ遷移する。
【００４０】
状態ＳＴ２において、２系である調光操作卓１０Ａが主系である通知（２主により示す）をすると、状態ＳＴへ遷移し、状態ＳＴ２において、１系である調光操作卓１０が副系である通知をすると共に２系である調光操作卓１０Ａが主系である通知をすると（１副２主により示す）、状態ＳＴ５へ遷移する。
【００４１】
状態ＳＴ１において、１系である調光操作卓１０が副系である通知をすると共に２系である調光操作卓１０Ａが副系である通知をすると（１副２副により示す）、状態ＳＴ３へ遷移する。状態ＳＴ６は、状態ＳＴ５において２系である調光操作卓１０Ａが副系である通知（２副により示す）をすることにより発生する。そして、図示のように通知がある毎に状態ＳＴ１〜ＳＴ６の間で遷移が行われる。
【００４２】
以上は通知による場合を説明したが、所定時間継続して情報（状態情報と調光制御情報）の到来がなければ、副系へ遷移させる。また、主系の調光操作卓の調光制御情報を用いて調光制御を行うが、両方が副系である状態ＳＴ３、ＳＴ６においては、その前の状態（履歴情報）により調光制御情報を用いる調光操作卓を決定してある。
【００４３】
この状態遷移を含む処理は、図４に示されるように行われる。調光制御盤３０の制御部３１は、情報の到来監視し（Ｓ２１）、情報到来の場合には、情報を受け取ると共に、送信元の調光操作卓に対応する状態を副系とするためのタイマをリセットする（Ｓ２２）。このステップＳ２２に続いて、到来した情報が状態情報であるか調光制御情報であるかを判定する処理を行う（Ｓ２３）。
【００４４】
上記ステップＳ２３において、調光制御情報の到来を検出すると、当該調光制御情報の送信元が主系か等を判定し、主系である場合と副系であってもその前の履歴により採用されるべき調光操作卓である場合(図３の状態ＳＴ３、ＳＴ６による主系である場合)に、該当の調光器を制御して該当の照明負荷について調光制御を行う（Ｓ２４）。
【００４５】
また、上記ステップＳ２３において、状態情報の到来を検出すると、通知の内容に従って図３に示した状態遷移を行うことにより主系と副系の情報管理を行うとと共に、履歴情報を残す（Ｓ２５）。
【００４６】
ステップＳ２１において、ＮＯへ分岐した場合においては、情報の到来がない調光操作卓に対応するタイマをスタートさせ（Ｓ２６）、タイムアップを検出すると共に（Ｓ２７）、情報到来を待つ（Ｓ２８）。
【００４７】
上記ステップＳ２８において情報到来が検出されると、ステップＳ２２へジャンプして処理を行い、ステップＳ２７においてタイムアップを検出すると、対応の調光操作卓について副系の通知があった場合と同様に図３における状態遷移を行い、履歴情報を残して（Ｓ２９）ステップＳ２１へ戻る。このように管理が行われるので、系切換スイッチ２３の情報を直接に受け取ることなく、調光制御盤３０は適切な調光操作卓からの調光制御情報を用いて調光制御を行うことができる。
【００４８】
調光操作卓１０、１０Ａの制御部１１は、障害等の発生によって、操作部１３に設けられた保持キーの操作がなされることによる保持要求の入力或いは障害発生等を監視している（Ｓ３１）。ステップＳ３１において、保持要求の入力等があると保持要求を調光制御盤３０へ送信する（Ｓ３２）。
【００４９】
これに対し、調光制御盤３０の制御部３１は、図６に示されるように保持要求が受信されるかを監視しており（Ｓ４１）、保持要求を受信すると、調光制御盤３０における現出力レベルを保持する（Ｓ４２）。
【００５０】
ステップＳ３２に続いて、調光操作卓１０、１０Ａの制御部１１は、保持情報要求のキー操作が操作部１３からなされたかを検出する（Ｓ３３）。保持情報要求は、例えば、調光操作卓１０が障害となった場合において調光操作卓１０の復旧の場合には調光操作卓１０の操作部１３から入力され、調光操作卓１０が障害となった場合において調光操作卓１０Ａへの切り換えが行われた場合には調光操作卓１０Ａの操作部１３から入力される。入力を検出した調光操作卓側の制御部１１は、保持情報要求を調光制御盤３０へ送信する（Ｓ３４）。
【００５１】
これに対応して、調光制御盤３０の制御部３１は、図６に示されるように保持レベル要求が受信されるかを監視しており（Ｓ４３）、要求が到来すると、保持してある現出力レベル（調光レベル）を照明負荷の識別情報と共に返送する（Ｓ４４）。
【００５２】
ステップＳ３４に続いて、保持情報要求を送信した調光操作卓１０Ａ（１０）の制御部１１は、現出力レベル（調光制御盤３０の保持レベル）と対応する照明負荷の識別情報との返送を受けて、このときに操作卓１３を用いて照明負荷３２−１〜３２−ｎについて調光操作卓１０Ａ（１０）にて設定した調光レベルとの差分を得て、調光制御盤３０の保持レベル（調光レベルの数値）や差分（調光レベルの差に係る数値）を対応する照明負荷の識別情報と共に表示部１２へ表示する（Ｓ３５）。これにより、オペレータは設定の誤差などを見ることができ、照明負荷３２−１〜３２−ｎに対する調光得ベルの設定を変更することができる。
【００５３】
本実施例では、操作部１３にレベル差解消を指示するキーが設けられ、これの操作を調光操作卓１０Ａ（１０）の制御部１１が検出している（Ｓ３６）。レベル差解消を指示するキーが操作されると、これを受けて制御部１１は設定レベルを差分に基づき変更し、当該調光操作卓１０Ａ（１０）から出力する調光制御情報における調光レベルを調光制御盤３０の保持レベルに合わせる（Ｓ３７）。
【００５４】
更に、調光操作卓１０Ａ（１０）の制御部１１保持キーの再操作などによる保持解除が入力されることを監視しており（Ｓ３８）、保持解除入力があると保持解除要求を調光制御盤３０へ送信し（Ｓ３９）、ステップＳ３１へ戻って処理を続ける。
【００５５】
一方、調光制御盤３０の制御部３１は、図６に示されるように保持解除要求が受信されるかを監視しており（Ｓ４５）、保持解除要求の受信に応じて保持レベルを、主系である調光操作卓側から送られた調光レベルへ変更して調光処理を開始する（Ｓ４６）。
【００５６】
以上の通りに、調光操作卓に障害が発生した場合に、調光制御盤３０にて保持されているレベル（調光レベルの数値）や差分（調光レベルの差に係る数値）を目視でき、出力する調光レベルを障害前のレベルへ復旧可能となり、障害前後の照明シーンに変化を生じさせることなく自然に継続的に調光制御を行うことが可能である。
【００５７】
＜実施例２＞
図７には、図８に示されるフローチャートの処理を行う状態判定管理手段５１、調光制御情報処理手段５２を備えると共に、イーサネットによる調光制御情報（調光ベル及び照明負荷のアドレス）をＤＭＸ信号へ変換するＤＭＸノード装置７０を用いた第２の実施例に係る調光システムの構成例が示されている。調光操作卓１０、１０Ａについては図１に示したものと同一の構成である。
【００５８】
ＤＭＸノード装置７０は、図４とほぼ同じ処理を図８のフローチャートに基づき行う。ただし、ステップＳ２３において、調光制御情報の到来を検出すると、当該調光制御情報の送信元が主系か等を判定し、主系である場合と副系でもその前の履歴により採用されるべき調光操作卓である場合に、該当の調光制御情報をＤＭＸ信号に変換してＤＭＸ信号対応の調光制御盤８０へ送出する（Ｓ２４Ａ）。ステップＳ２４Ａにおいて、調光操作卓１０または調光操作卓１０Ａから到来した調光制御情報の送信元が主系か等を判定し、副系である場合とその前の履歴により採用されるべき調光操作卓でない場合に、該当の調光制御情報を破棄する。
【００５９】
係る処理により、調光制御盤８０が系切換スイッチ２３の情報を直接に受け取ることなく、調光制御盤８０は適切な調光操作卓１０（１０Ａ）からの調光制御情報を用いて調光制御を行うことができる。なお、本調光システムにおいては調光操作卓１０、１０Ａについては図１に示したものと同一の構成としたが、調光操作卓１０（１０Ａ）における制御部１１対応の構成部分が、図１に示した調光制御手段４１、状態情報送出手段４２のみを備え、保持要求手段４３、送信要求手段４４、表示制御手段４５、復旧制御手段４６を備えない構成とすることもできる。この場合には、調光操作卓１０、１０Ａの制御部１１対応の構成部分は、図５のフローチャートに対応する処理を行わず、図２のフローチャートに対応する処理を行うものである。
【図面の簡単な説明】
【００６０】
【図１】本発明の実施例に係る調光操作卓と調光装置である調光制御盤とを用いて構成した調光システム第１の実施例を示す構成図。
【図２】本発明の実施例に係る調光操作卓の動作を説明するためのフローチャート。
【図３】本発明の実施例に係る調光装置である調光制御盤により実現される主系副系の遷移を示す図。
【図４】本発明の実施例に係る調光装置である調光制御盤における動作を説明するためのフローチャート。
【図５】本発明の実施例に係る調光操作卓の動作を説明するためのフローチャート。
【図６】本発明の実施例に係る調光装置である調光制御盤における動作を説明するためのフローチャート。
【図７】本発明の実施例に係る調光操作卓と調光装置であるＤＭＸノード装置とを用いて構成した調光システム第２の実施例を示す構成図。
【図８】本発明の実施例に係る調光装置であるＤＭＸノード装置における動作を説明するためのフローチャート。
【符号の説明】
【００６１】
１０、１０Ａ  調光操作卓 
１１、３１  制御部 
１２  表示部 
１３  操作部 
１４、３３  インタフェース 
１５  接点Ｉ／Ｏ 
２１Ａ〜２１Ｃ  イーサネット 
２２  ハブ 
２３  系切換スイッチ 
３０、８０  調光制御盤 
３２−１〜３２−ｎ  照明負荷 
３４−１〜３４−ｎ  調光器 
４１  調光制御手段 
４２  状態情報送出手段 
４３  保持要求手段 
４４  送信要求手段 
４５  表示制御手段 
４６  復旧制御手段 
５１  状態判定管理手段 
５２  調光制御情報処理手段 
５３  保持手段 
５４  情報返送手段 
７０  ＤＭＸノード装置
【図１】
2008117566.tif 000003
【図２】
2008117566.tif 000004
【図３】
2008117566.tif 000005
【図４】
2008117566.tif 000006
【図５】
2008117566.tif 000007
【図６】
2008117566.tif 000008
【図７】
2008117566.tif 000009
【図８】
2008117566.tif 000010